(57)【特許請求の範囲】
【請求項１】
アドレス情報が予め記録されている記録媒体から圧縮されたデジタル信号を再生する再生手段と、
前記再生手段により再生された圧縮された前記デジタル信号を一時的に記憶する記憶手段と、
前記記憶手段に記憶された前記デジタル信号を読み出し、その信号を伸長する伸長手段と、
前記記録媒体に記録されている前記アドレス情報に連続してエラーが発生したか否かを判別する第１の判別手段と、
前記再生手段による再生中に、トラックジャンプが発生したか否かを判別する第２の判別手段と、
前記記録媒体を回転駆動するスピンドルサーボが外れたか否かを判別する第３の判別手段と、
前記第１、第２、または第３の判別手段により異常が判別された場合、前記記憶手段に記憶されている前記デジタル信号の蓄積量が、所定の量に達したか否かを判別する第４の判別手段と、
前記第４の判別手段による判別結果に基づいて、警告を提示する警告提示手段と
を備えることを特徴とする再生装置。
【発明の詳細な説明】
【０００１】
【発明の属する技術分野】
本発明は、例えばミニディスク装置においてオーディオ信号を再生する場合に用いて好適な再生装置に関する。
【０００２】
【従来の技術】
図６は、光磁気ディスク（ミニディスク）におけるフォーマットを表している。同図に示すように、ディスクの最内周にはリードイン領域が設けられ、最外周にはリードアウト領域が設けられている。そして、このリードイン領域とリードアウト領域の間に、音楽信号などが記録されるようになされているのであるが、そのリードイン領域に最も近い内周側の領域に、ユーザＴＯＣ領域が設けられている。このユーザＴＯＣ領域には、そのディスクに記録されている情報（通常、音楽）にアクセスするのに必要な情報が記録されている。
【０００３】
例えば、この例においては、曲番１から曲番６までの６つの曲が記録されており、そのユーザＴＯＣ領域には、６つの曲の曲番１乃至６と、各曲の始点アドレスＡ（曲番１），Ｃ（曲番２），Ｅ（曲番３），Ｇ（曲番４），Ｉ（曲番５），Ｋ（曲番６）と、終点のアドレスＢ（曲番１），Ｄ（曲番２），Ｆ（曲番３），Ｈ（曲番４），Ｊ（曲番５），Ｌ（曲番６）が記録されている。
【０００４】
このディスクに形成されているトラック（プリグルーブ）は、図７に示すように、１３．３ｍｓの周期（周波数７５Ｈｚ）で蛇行されており、この周波数をＦＭ変調することで、セクタのアドレスが記録されている。
【０００５】
図８は、さらに細かい記録フォーマットを示している。ディスクの１回転（１トラック）は、複数のセクタに区分されており、３６個のセクタにより１クラスタが構成されている。１クラスタは、４個のリンキングセクタと、３２個の圧縮データ記録用のセクタとに区分されている。４個のリンキング領域の先頭の３個はリンクセクタとされ、１個はサブデータ用とされている。リンクセクタには、隣接するクラスタの圧縮データが一部重複して記録されるようになされている。サブデータ領域には、音楽信号以外のサブデータが記録されるようになされている。
【０００６】
さらに、セクタはサウンドグループにより構成されている。即ち、０，１，２，・・・，８，９，Ａの１１個のサウンドグループが、連続する２個のセクタに対応されている。この１１個のサウンドグループが音楽信号処理の単位とされている。
【０００７】
１個のサウンドグループには、左チャンネル用と右チャンネル用のオーディオ信号が５１２サンプル（再生時間にして１１．６１ｍｓに対応する）記録されている。
【０００８】
ミニディスク装置においては、記録モード時、記録されるべきオーディオ信号が圧縮された後、一時的にメモリに記憶されるようになされている。このメモリに記憶された信号が所定のタイミングで読み出されてディスクに記録される。また、再生モード時においては、ディスクより再生された信号がメモリに一旦記憶される。そして、メモリより所定のタイミングで読み出された信号が伸長され、出力されるようになされている。
【０００９】
このように記録または再生する信号を一時的にメモリに記憶しておくことにより、外部より振動が加えられるなどして、記録または再生動作を一時的に中断しなければならない場合においても、メモリの容量の範囲内において、記録または再生すべき信号が途中で途切れることが防止されるようになされている。
【００１０】
【発明が解決しようとする課題】
このように従来のミニディスク装置は、振動に対して記録または再生動作を保護する機能が付加されているため、使用者がミニディスク装置を比較的振動が多い場所で使用しても、正常に記録または再生動作が行われため、その設置場所が記録再生に関しては、必ずしも好ましい場所ではないことに気が付かないことがある。
【００１１】
また、同様にディスクそのものに汚れや傷が多く付いてるような場合においても、記録または再生動作が結果的に正しく行われるため、そのディスクに傷あるいは汚れなどが多く付いていることに気が付かないことがある。
【００１２】
しかしながら、このような保護機能が付加されているとしても、装置を基本的に振動が多い場所で用いたり、傷、汚れなどが多いディスクに対して、記録または再生動作を実行すれば、通常よりさらに大きな振動が偶然付加されたような場合において、メモリの余裕が少ないため、その振動に対して保護機能を果たすことができなくなるおそれがある。すなわち、この場合においては、普段より若干強い振動などが付加されると、直ちに正しい記録または再生動作が実行できなくなることになる。
【００１３】
本発明はこのような状況に鑑みてなされたものであり、メモリの使用状態を使用者に知らしめることができるようにするものである。
【００１４】
【課題を解決するための手段】
本発明の再生装置は、アドレス情報が予め記録されている記録媒体から圧縮されたデジタル信号を再生する再生手段と、再生手段により再生された圧縮されたデジタル信号を一時的に記憶する記憶手段と、記憶手段に記憶されたデジタル信号を読み出し、その信号を伸長する伸長手段と、記録媒体に記録されているアドレス情報に連続してエラーが発生したか否かを判別する第１の判別手段と、再生手段による再生中に、トラックジャンプが発生したか否かを判別する第２の判別手段と、記録媒体を回転駆動するスピンドルサーボが外れたか否かを判別する第３の判別手段と、第１、第２、または第３の判別手段により異常が判別された場合、記憶手段に記憶されているデジタル信号の蓄積量が、所定の量以上に達したか否かを判別する第４の判別手段と、第４の判別手段による判別結果に基づいて、警告を提示する警告提示手段とを備えることを特徴とする。
【００１７】
本発明の再生装置においては、アドレス情報が予め記録されている記録媒体から圧縮されたデジタル信号が再生され、再生された圧縮されたデジタル信号が一時的に記憶され、記録媒体に記録されているアドレス情報に連続してエラーが発生したか否か、再生中に、トラックジャンプが発生したか否か、もしくは、記録媒体を回転駆動するスピンドルサーボが外れたか否かが判別され、異常が判別された場合、記憶されているデジタル信号の蓄積量が、所定の量に達しかか否かが判別され、その判別結果に基づいて、警告が提示される。
【００１８】
【発明の実施の形態】
図１は、本発明の情報再生装置を応用したミニディスク装置（光磁気ディスク装置）の一実施例の構成を示すブロック図である。カートリッジ１には、ディスク（光磁気ディスク）２が収容されており、スピンドルモータ３により所定の速度で回転されるようになされている。このディスク２の下側には、対物レンズ４を有する光ピックアップ５が配置され、その反対側には、記録用磁気ヘッド６が対向する位置に配置されている。この光ピックアップ５と記録用磁気ヘッド６は、送りモータ７によりディスク２の半径方向の所定の位置に移動されるようになされている。
【００１９】
Ａ／Ｄ変換器８は、図示せぬ回路から供給されるオーディオ信号を１サンプル当り、１６ビットのデジタル信号にＡ／Ｄ変換し、圧縮伸長器１０に供給するようになされている。また、Ｄ／Ａ変換器９は、圧縮伸長器１０より供給された１６ビットを単位とするデジタル信号をＤ／Ａ変換して、図示せぬ回路に出力するようになされている。圧縮伸長器１０は、Ａ／Ｄ変換器８より入力されたデジタル信号を圧縮して、メモリコントローラ１１に出力するとともに、メモリコントローラ１１より供給されたデジタル信号を伸長して、Ｄ／Ａ変換器９に出力するようになされている。
【００２０】
メモリコントローラ１１は、記録モード時、圧縮伸長器１０より供給される信号をＤＲＡＭ１２に供給し、一旦記憶させるとともに、そこに記憶された信号を読み出し、ＥＦＭとＣＩＲＣのエンコーダ／デコーダ１３に供給するようになされている。また、再生モード時においては、エンコーダ／デコーダ１３より供給される信号をＤＲＡＭ１２に供給し、記憶させるとともに、そこに記憶された信号を読み出し、圧縮伸長器１０に供給するようになされている。
【００２１】
エンコーダ／デコーダ１３は、アドレスデコーダ１５より供給される信号を参照して、ＲＦアンプ１６を介して光ピックアップ５より供給される信号を復調し、ディスク２の記録点（または再生点）のアドレスを読み取り、システムコントローラ１８に出力するようになされている。また、記録モード時、メモリコントローラ１１を介して入力される信号をＥＦＭ変調するとともに、誤り検出訂正符号を付加し、ヘッド駆動回路１４を介して記録用磁気ヘッド６に供給するようになされている。また、再生モード時においては、ＲＦアンプ１６より供給される信号をＥＦＭ復調し、誤り検出訂正処理を行った後、メモリコントローラ１１に出力するようになされている。
【００２２】
サーボ制御回路１７は、システムコントローラ１８に制御され、スピンドルモータ３を所定の速度で回転させるとともに、送りモータ７を介して、光ピックアップ５と記録用磁気ヘッド６をディスク２の半径方向に移送するようになされている。また、光ピックアップ５を制御し、ディスク２に対してレーザ光を照射させるようになされている。
【００２３】
キー１９は、システムコントローラ１８に種々の指令を入力するとき操作されるようになされている。また、表示部２０は、システムコントローラ１８により制御され、所定の情報を表示するようになされている。
【００２４】
次に、その動作について説明する。記録モード時、Ａ／Ｄ変換器８によりＡ／Ｄ変換されたオーディオ信号は、圧縮伸長器１０に入力され、圧縮される。この圧縮された信号は、メモリコントローラ１１を介してＤＲＡＭ１２に供給され、一旦記憶される。このＤＲＡＭ１２は、４Ｍビットの記憶容量を有しており、実時間に換算して、約８秒分のオーディオ信号を一時記憶することができるようになされている。
【００２５】
ＤＲＡＭ１２に記憶された信号は、所定のタイミングでメモリコントローラ１１により読み出され、エンコーダ／デコーダ１３に供給され、エンコードされた後、ヘッド駆動回路１４を介して記録用磁気ヘッド６に供給される。またこのとき、光ピックアップ５より、対物レンズ４を介してディスク２に対してレーザ光が照射される。これにより、ディスク２上に、記録信号に対応する信号が光磁気的に記録されることになる。
【００２６】
一方、再生モード時、光ピックアップ５は、ディスク２にレーザ光を照射し、その反射光から記録信号に対応する信号を出力する。この信号は、ＲＦアンプ１６を介してエンコーダ／デコーダ１３に供給される。エンコーダ／デコーダ１３は、入力された信号をデコードし、メモリコントローラ１１を介してＤＲＡＭ１２に一旦記憶させる。ＤＲＡＭ１２に記憶された信号は、所定のタイミングで読み出され、メモリコントローラ１１を介して圧縮伸長器１０に供給される。圧縮伸長器１０は、入力された信号を伸長し、Ｄ／Ａ変換器９に出力する。Ｄ／Ａ変換器９は、入力された信号をＤ／Ａ変換して、図示せぬ、例えばスピーカなどに出力する。
【００２７】
記録モード時および再生モード時において、ＤＲＡＭ１２にデータを一旦記憶させることにより、例えば外部からの振動などに起因して、リアルタイムにディスク２に対して信号を記録または再生することができなかった場合においても、信号をＤＲＡＭ１２に一旦蓄積しておくことで、振動が解除された後、再び記録または再生を実行することが可能となる。これにより記録信号または再生信号が一部欠落してしまうようなことが抑制される。
【００２８】
次に図２のフローチャートを参照して表示部２０の表示動作について説明する。
【００２９】
最初にステップＳ１において、記録動作が開始されるまで待機し、キー１９を操作するなどして、システムコントローラ１８に記録動作が指令され、システムコントローラ１８が記録動作を開始したとき、ステップＳ１からステップＳ２に進む。ステップＳ２においては、ＤＲＡＭ１２に例えば１クラスタ分（３２セクタ分）のデータが記憶されるまで待機する。すなわち、記録信号がＡ／Ｄ変換器８によりＡ／Ｄ変換され、圧縮伸長器１０により圧縮された後、メモリコントローラ１１を介してＤＲＡＭ１２に供給され、記憶される。この記憶量が１クラスタ分に達するまで待機するのである。
【００３０】
ステップＳ２において、１クラスタ分のデータがＤＲＡＭ１２に記憶されたと判定されたとき、ステップＳ２からステップＳ３に進み、１クラスタ分のデータの書き込みが開始される。すなわち、このときＤＲＡＭ１２に記憶されたデータがメモリコントローラ１１により読み出され、エンコーダ／デコーダ１３に供給され、エンコードされる。そして、エンコードされたデータがヘッド駆動回路１４を介して記録用磁気ヘッド６に供給され、ディスク２に記録される。
【００３１】
この書き込みを開始したとき、ステップＳ４乃至Ｓ７の処理により１クラスタ分のデータの書き込みが終了するまで、異常が発生したか否かが判定される。
【００３２】
この実施例においては、３種類の異常の有無がステップＳ４乃至Ｓ６において判定される。ステップＳ４においては、図７を参照して説明した、トラック（プリグルーブ）を蛇行させることにより記録したアドレス信号（ＡＤＩＰ信号）に、連続する４セクタにわたってエラーが発生したか否か（すなわちＡＤＩＰ信号に４回連続してエラーが発生したか否か）を判定する。４回連続してエラーが発生したとき、異常があると判定される。エンコーダ／デコーダ１３がＡＤＩＰ信号にエラーが発生するたびに出力する信号の数を、システムコントローラ１８が計数することで、この判定が行われる。
【００３３】
ステップＳ５においては、システムコントローラ１８による特別の指令が無いにも拘らず、トラックジャンプが発生したとき、異常があると判定される。サーボ制御回路１７は、光ピックアップ５が出力するトラッキングエラー信号をモニタし、所定の時間（例えば２ｍｓ）内に記録点がトラックを２回以上横切る信号が検出されたとき、トラックジャンプが発生したものとして、異常検出信号をシステムコントローラ１８に出力する。
【００３４】
ステップＳ６においては、ディスク２を一定の線速度（ＣＬＶ）で回転駆動するスピンドルモータ３のサーボがはずれたと判定されたとき、異常があると判定される。サーボ制御回路１７は、スピンドルモータ３を予め設定された所定の線速度で回転するように駆動している。この駆動のため、サーボ制御回路１７は、ＰＬＬ回路を内蔵している。サーボ制御回路１７は、このＰＬＬ回路のサーボがはずれたとき異常な検出信号をシステムコントローラ１８に出力する。
【００３５】
以上の３つの異常は、外部より異常な振動を付加したり、ディスク２に比較的大きな傷や汚れが存在しない場合においては、発生しないものである。換言すれば、これらの異常が発生したということは、外部より異常な振動が与えられるか、ディスク２に大きな傷や汚れが存在することを示している。
【００３６】
そこでこれらの異常が検出された場合においては、ステップＳ４乃至Ｓ６からステップＳ８に進み、ＤＲＡＭ１２におけるデータの記憶量が容量一杯になったか否かが判定される。ＤＲＡＭ１２は、４Ｍビットの記憶容量を有しているため、実時間に換算すると、約８秒分の長さのオーディオ信号を記憶することができる。ステップＳ８において、データの記憶量がＤＲＡＭ１２の記憶容量をオーバしていないと判定された場合において、ステップＳ８からＳ９に進み、Ｒｅｔｒｙの文字が、表示部２０に表示される。
【００３７】
すなわち、システムコントローラ１８は、エンコーダ／デコーダ１３あるいはサーボ制御回路１７からの信号をモニタし、異常の検出信号が入力されたとき、表示部２０に、例えば図３に示すようなＲｅｔｒｙの文字を表示部２０に所定の時間（例えば３秒間）だけ表示させる。使用者はこの表示を見て、何らかの原因により書き込む動作が再度行われたことを知ることができる。
【００３８】
そして、ステップＳ９の次にステップＳ１０に進み、書き込み動作のやり直しを実行する。すなわち、異常が検出されたとき、ディスク２に対してデータを正しく記録することができないため、システムコントローラ１８はＤＲＡＭ１２に記憶されている１クラスタ分のデータの書き込みを、再度実行するモードを設定する。そして、ステップＳ１０からＳ３に戻り、同一のクラスタのデータの再書き込みが開始される。
【００３９】
一方、ステップＳ８において、ＤＲＡＭ１２の記憶量がその容量一杯になったと判定されたとき、ステップＳ８からステップＳ１１に進み、Ｒｅｔｒｙ  Ｅｒｒｏｒの文字の表示が行われる。すなわち、このときシステムコントローラ１８は表示部２０に、図４に示すようにＲｅｔｒｙ  Ｅｒｒｏｒの文字を所定の時間（例えば３秒間）だけ表示させる。使用者はこれにより、正しいデータの書き込みができなかったこと、従って、記録中のオーディオ信号が途中で途切れたことを知ることができる。
【００４０】
ステップＳ１１の次にステップＳ１２に進み、ＤＲＡＭ１２に記憶した１クラスタ分のデータを捨て、次のデータの取り込みを行う。即ち、いま、ＤＲＡＭ１２には、その容量一杯にデータが記録されているため、ディスク２に対して、いま書き込みを失敗いた１クラスタ分のデータの記録を再度実行しようとすると、リアルタイムで次々と入力されるデータをＤＲＡＭ１２に取り込むことができなくなる。
【００４１】
そこで、異常が発生したとき、書き込み途中であったクラスタのデータは、その記録を諦め、その後さらに圧縮伸長器１０を介してＤＲＡＭ１２に供給されるデータを記憶するのである。すなわち、ＤＲＡＭ１２はＦＩＦＯ構成とされ、古いデータが吐き出され、新しいデータが順次書き込まれる。そして、ステップＳ１２の次にステップＳ３に戻り、新たなクラスタの書き込みが開始される。
【００４２】
ステップＳ４乃至Ｓ６の異常の検出は、ステップＳ７において、１クラスタ分の書き込みが終了したと判定されるまで繰り返される。ステップＳ７において、１クラスタ分のデータの書き込みが終了したと判定された場合においては、ステップＳ７からステップＳ１３に進み、記録動作の終了が指令されているか否かが判定される。記録動作の終了が指令されていない場合においては、ステップＳ１３からステップＳ２に戻り、次の１クラスタ分のデータの書込処理が、上述した場合と同様に繰り返し実行される。ステップＳ１３において、キー１９の所定のものを操作するなどして、記録動作の終了が指令されていると判定された場合においては、記録動作が終了される。
【００４３】
図５は、ＤＲＡＭ１２の記憶容量と表示の関係を模式的に示している。同図に示すように、ＤＲＡＭ１２は、記憶容量として８秒分のオーディオデータを記憶することが可能となっている。上述したような、３つの異常のいずれも発生しない場合においては、ＤＲＡＭ１２には所定量（１クラスタ分）の記録データが圧縮伸長器１０から供給され、書き込まれ、このデータが所定のタイミングで読み出されてディスク２に書き込まれる。従って、この場合においては、ＤＲＡＭ１２のデータの記憶量は、ほぼ１クラスタ分（再生時間に換算して約２秒分）以下のデータとなっている。ＤＲＡＭ１２の記憶量がこの１クラスタ分以下であるとき、特別の表示（警告）は行われない。
【００４４】
これに対して、何らかの異常が発生するとＤＲＡＭ１２の記憶量は、１クラスタ分以上になる。このとき上述したようにして、Ｒｅｔｒｙの文字が表示される。ただし、この文字が表示される期間中は、まだＤＲＡＭ１２にデータを記憶することができる空容量が残っているため、ディスク２に対するデータの再書き込みを行ったとしても、順次入力されるデータをＤＲＡＭ１２に一時的に保持しておくことができる。
【００４５】
これに対して、ＤＲＡＭ１２に８秒分のデータが記憶された場合においては、ディスク２に対して再書き込みを行っていると、順次入力される新たなデータをＤＲＡＭ１２に保持することができなくなる。そこで、このような場合においては、Ｒｅｔｒｙ  Ｅｒｒｏｒの文字を表示し、使用者に書き込み中の音が途中で途切れたことを警告するのである。
【００４６】
尚、以上においては、記録モード時に、ＤＲＡＭ１２の記憶量に対応する表示を行うようにしたが、再生時においても同様の表示を行うようにすることができる。
【００４７】
また、以上の実施例においては、表示部２０に文字を表示することにより、警告を行うようにしたが、例えば、音により警告を発生するようにすることも可能である。
【００４８】
【発明の効果】
以上のように、本発明の再生装置によれば、予めアドレス情報が記録されている記録媒体から圧縮されたデジタル信号を再生し、再生された圧縮されたデジタル信号を一時的に記憶し、記録媒体に記録されているアドレス情報に連続してエラーが発生したか否か、再生中に、トラックジャンプが発生したか否か、もしくは、記録媒体を回転駆動するスピンドルサーボが外れたか否かを判別し、異常が判別された場合、記憶されているデジタル信号の蓄積量が、所定の量に達したか否かを判別し、その判別結果に基づいて、警告を提示するようにしたので、装置を振動が多い場所に設置したり、記録媒体のゴミ、汚れなどが多い場合に速やかに使用者にこれを警告することができる。使用者は、この警告を受けたとき必要に応じて、その装置の設置場所を変更したり、記録媒体を交換するなどすることができるから、結果的に記録信号や再生信号が途中で途切れるような事態が発生するのを抑制することができる。
【図面の簡単な説明】
【図１】本発明の再生装置を応用したミニディスク装置の一実施例の構成を示すブロック図である。
【図２】図１の表示部２０の表示動作を説明するフローチャートである。
【図３】図１の表示部２０を説明する図である。
【図４】図１の表示部２０の他の例を説明する図である。
【図５】図１のＤＲＡＭ１２の記憶量と表示の関係を説明する図である。
【図６】従来のミニディスクの記録フォーマットを説明する図である。
【図７】従来のミニディスクにおけるアドレスの記録原理を説明する図である。
【図８】従来のミニディスクのより詳細な記録フォーマットを説明する図である。
【符号の説明】
１  カートリッジ，  ２  ディスク，  ４  対物レンズ，  ５  光ピックアップ，  ６  記録用磁気ヘッド，  ８  Ａ／Ｄ変換器，  ９  Ｄ／Ａ変換器，  １０  圧縮伸長器，  １１  メモリコントローラ，  １２  ＤＲＡＭ，  １３  エンコーダ／デコーダ，  １７  サーボ制御回路，  １８  システムコントローラ
１９  キー，  ２０  表示部
【図１】
0003615106.tif 000002
【図２】
0003615106.tif 000003
【図３】
0003615106.tif 000004
【図４】
0003615106.tif 000005
【図５】
0003615106.tif 000006
【図６】
0003615106.tif 000007
【図７】
0003615106.tif 000008
【図８】
0003615106.tif 000009